(57)【要約】      （修正有）【課題】  ワープロ用ソウトウエアを用いて作成された文書データに設定された画像表示領域内に、ストリーミング映像の表示ができる文書データ処理システムを提供する。【解決手段】  ユーザ端末装置と、文書作成装置と、画像データを蓄積するサーバが、インターネット通信網に接続されている。文書作成装置は、文書データの中に設定した画像表示領域に、固有の識別番号が設定された画像データを配信管理データを備えたサーバに配信要求するためのリンク情報を埋め込んだ文書データを作成し、ユーザ端末装置は、この文書データをメール等により受信して表示したときに、この画像表示領域にストリーミング映像等を表示できるようにしたシステムである。【選択図】    図１
2006302231.tif 000002
【特許請求の範囲】
【請求項１】
インターネット通信網を介して、予め固有の識別番号が設定された画像データを表示するための画像表示領域を有する文書データを読み込んで画面に表示するユーザ端末装置と、前記文書データを作成する文書作成装置と、前記画像データを蓄積するサーバと、前記識別番号と前記識別番号が設定された前記画像データを蓄積するサーバのＵＲＬとを関連付けした配信管理データを備えたサーバと、が接続された文書データ処理システムであって、
前記文書作成装置は、前記画像表示領域に前記識別番号が設定された画像データを、前記配信管理データを備えたサーバに配信要求するためのリンク情報を埋め込む手段を有し、
前記ユーザ端末装置は、前記文書データを読み込んで表示される前記画像表示領域に埋め込まれている前記リンク情報に基づいて、前記配信管理データを備えたサーバをアクスセスすることにより、前記画像表示領域に前記識別番号に対応する画像データの映像を表示可能にされていることを特徴とする文書データ処理システム。
【請求項２】
前記文書作成装置は、前記文書作成装置にインストールされている前記文書データを作成するワープロ用ソフトウエア手段と連動して、
前記文書データの中に設定された前記画像表示領域に、該画像表示領域に表示する画像データに設定された前記識別番号と、前記配信管理データを備えたサーバのアドレス情報から構成され前記配信管理データを備えたサーバをアクセスするための前記リンク情報を、埋め込むための手段を備えていることを特徴とする請求項１に記載の文書データ処理システム。
【請求項３】
前記文書作成装置は、さらに、前記識別番号が設定された画像データを、前記画像データを蓄積するサーバにアップロードする手段を備えていることを特徴とする請求項１または請求項２に記載の文書データ処理システム。
【請求項４】
前記ユーザ端末装置、または前記文書作成装置は、前記リンク情報を埋め込んだ文書データを、電子メールの添付ファイルとして前記インターネット通信網に接続された他の前記ユーザ端末装置、または前記文書作成装置に送信するようになされていることを特徴とする請求項１に記載の文書データ処理システム。
【請求項５】
前記画像データは、ストリーミング画像データであることを特徴とする請求項１から請求項３のいずれかに記載の文書データ処理システム。
【請求項６】
前記文書データを作成するためのワープロ用ソフトウエア手段と連動して、前記文書データの中に設定された画像表示領域に、該画像表示領域に表示する画像データに設定された前記識別番号と、前記配信管理データを備えたサーバのアドレス情報から構成され前記配信管理データを備えたサーバをアクセスするための前記リンク情報を埋め込むための手段を実行するプログラムを、コンピュータ読み取り可能な記録媒体に記憶して提供されることを特徴とする請求項２に記載の文書データ処理システム。
【発明の詳細な説明】
【技術分野】
【０００１】  本発明は、パーソナルコンピュータで稼動するワープロ用ソフトウエアを利用して作成したテキスト文書内の所定の領域に、画像あるいは動画像を表示することができるようにした文書データ処理システムに関するものである。
【背景技術】
【０００２】  テキスト文書で作成された電子文書をパーソナルコンピュータの画面に表示し、この電子文書に関連する画像や動画像データ（以下、画像データという）を表示する方法としては、ＨＴＭＬ言語を利用して作成されたハイパーテキスト中に埋め込まれている画像データを蓄積するＵＲＬを、Ｗｅｂプラウザを利用してリンクすることによりこの画像を閲覧することが広く利用されている。このようなハイパーテキストを利用したテキスト文書への画像データの閲覧システムとしては、例えば、下記の特許文献が提案されている。【０００３】
【特許文献１】  特開平１１−２１２９２８号公報
【特許文献２】  特開２００４−２４８２４５号公報
【特許文献３】  特開２００５−４９９５０号公報
【発明の開示】
【発明が解決しようとする課題】
【０００４】  上記特許文献１〜３に記載されている発明は、何れもＨＴＭＬ等のハイパーテキストで作成した文書データを利用して、画像データを閲覧するようにしたシステムである。このようなハイパーテキストを利用したテキスト文書から画像データの配信要求を行って閲覧するシステムにおいては、次のような不具合が発生する。【０００５】  （１）通常のＷｅｂページ等のテキスト文書は、ページごとに文字情報を主体に作成され、これら文字情報の間の要所要所に画像の配信要求を行うための領域が設定されている。そして、インターネット通信網に接続されたパーソナルコンピュータを利用してハイパーテキストで作成されたＷｅｂページをアクセスして、この配信要求を行うための領域をマウスでクリックすると、パーソナルコンピュータの画面全体に画像データが再生されて、今まで表示されていた文書は表示されなくなるという不具合が生じる場合がある。この場合には、文書を読みながら表示された画像を閲覧することは不可能であった。【０００６】  （２）ＨＴＭＬ言語等のハイパーテキストを用いてテキスト文書を作成するためには、ＨＴＭＬ言語の知識を必要とするため、ＨＴＭＬ言語等の知識がない者がテキスト文書内に画像を蓄積する画像蓄積サーバのＵＲＬ等を埋め込んだ文書を作成することは極めて困難である。【０００７】  そこで、本発明の目的は、パーソナルコンピュータで利用することができるワープロ用ソフトウエアを利用して作成した文書データ内に設定した任意の領域に、ストリーミング画像データ等の画像データの配信要求を行って、ストリーミング画像等を表示することができるようにした文書データ処理システムを提供することにある。
【課題を解決するための手段】
【０００８】  本発明は、インターネット通信網を介して、予め固有の識別番号が設定された画像データを表示するための画像表示領域を有する文書データを読み込んで画面に表示するユーザ端末装置と、前記文書データを作成する文書作成装置と、前記画像データを蓄積するサーバと、前記識別番号と前記識別番号が設定された前記画像データを蓄積するサーバのＵＲＬとを関連付けした配信管理データを備えたサーバと、が接続された文書データ処理システムであって、
前記文書作成装置は、前記画像表示領域に前記識別番号が設定された画像データを、前記配信管理データを備えたサーバに配信要求するためのリンク情報を埋め込む手段を有し、
前記ユーザ端末装置は、前記文書データを読み込んで表示される前記画像表示領域に埋め込まれている前記リンク情報に基づいて、前記配信管理データを備えたサーバをアクスセスすることにより、前記画像表示領域に前記識別番号に対応する画像データの映像を表示可能にされている文書データ処理システムである。【０００９】  さらに、本発明は、前記文書作成装置は、前記文書作成装置にインストールされている前記文書データを作成するワープロ用ソフトウエア手段と連動して、
前記文書データの中に設定された前記画像表示領域に、該画像表示領域に表示する画像データに設定された前記識別番号と、前記配信管理データを備えたサーバのアドレス情報から構成され前記配信管理データを備えたサーバをアクセスするための前記リンク情報を、埋め込むための手段を備えている文書データ処理システムである。【００１０】  さらに、本発明は、前記文書作成装置は、さらに、前記識別番号が設定された画像データを、前記画像データを蓄積するサーバにアップロードする手段を備えている文書データ処理システムである。【００１１】  さらに、本発明は、前記ユーザ端末装置、または前記文書作成装置は、前記リンク情報を埋め込んだ文書データを、電子メールの添付ファイルとして前記インターネット通信網に接続された他の前記ユーザ端末装置、または前記文書作成装置に送信するようになされている文書データ処理システムである。【００１２】  さらに、本発明は、前記画像データは、ストリーミング画像データとされている文書データ処理システムである。【００１３】  さらに、本発明は、前記文書データを作成するワープロ用ソフトウエア手段と連動して、前記文書データの中に設定された画像表示領域に、該画像表示領域に表示する画像データに設定された前記識別番号と、前記配信管理データを備えたサーバのアドレス情報から構成され前記配信管理データを備えたサーバをアクセスするための前記リンク情報を埋め込むための手段を実行するプログラムを、コンピュータ読み取り可能な記録媒体に記憶して提供される文書データ処理システムである。
【発明の効果】
【００１４】  本発明の文書データ処理システムは、次のような効果を有している。
（１）一般に広く利用されている文書データを作成するためのワープロ用ソフトウエアを使して作成した文書データの任意の箇所に画像表示領域を設定し、この画像表示領域内に画像、特に、ストリーミング映像を表示させることができる文書データ処理システムを提供することができる。これにより、本発明は、インターネット通信網を利用して、文書データと共に各種の動画像を閲覧することが可能な電子化文書の配信と閲覧システム等、応用分野が広く、かつ、利用価値が高いシステムを構築することができる。特に、画像データとしてストリーミング映像データを配信すると、ユーザ端末装置で受信したストリーミング映像データを記憶装置等に記憶させることができないため、違法コピーの観点からも利用価値が高くなる。【００１５】  （２）本発明のシステムで閲覧する文書データは、ＣＤ−ＲＯＭ、ＤＶＤ−ＲＯＭ等のコンピュータ読み取り可能な記録媒体に記録して、広く販売、貸与あるいは提供することができる。これにより、動画像を閲覧できる電子カタログ、百科辞典、等として実用化することができる。【００１６】  （３）文書データ内に設定された画像表示領域に画像を表示するとき、この画像は画像表示領域内に表示されるので、画像表示領域の周辺に存在する文字からなる他の文書データは、位置ずれが生じることがない。これにより、文字からなる他の文書データと画像を同時に閲覧することが可能になる。
【発明を実施するための最良の形態】
【００１７】  本発明の文書データ処理システムは、下記のような用途に使用することができる。
（１）ワープロ用ソフトウエアを用いて、画像データを蓄積するサーバとのリンク情報を埋め込んだ画像表示領域と、文字列を有する文書データを作成し、この文書データを添付ファイルとしてメールを利用して第三者に送信する。そして、このメールを受信した第三者は、この文書データを端末装置の画面に表示して、文書データ中に設定されている画像表示領域に画像データの配信要求を行って、配信されたストリーミング画像等を視聴する。このような用途としては、例えば、各種企業が顧客や株主等へメールを利用して資し画像、動画像、ストリーミング映像を閲覧可能なＰＲ用資料、決算報告書等を送付することに利用できる。【００１８】  （２）上記（１）に記載した文書データをＣＤ−ＲＯＭ、ＤＶＤ−ＲＯＭ等のコンピュータ読み取り可能な記録媒体に記録して、広く配布、または販売する。このような用途としては、電子カタログ、百科事典を含む各種の電子化辞典として実用化することができる。【００１９】  以下、本発明を実施するための形態を図面に基づいて説明する。図１は、本発明を実施するためのシステム構成の一例を示す図である。なお、画像データとしては、ストリーミング映像データを例にして説明する。
図１において、１ａ、１ｂ、１ｃ、・・・は、ユーザ端末装置である。ユーザ端末装置１ａ、１ｂ、１ｃは、パーソナルコンピュータから構成され、例えば、Ｗｉｎｄｏｗｓ（Ｍｉｃｒｏｓｏｆｔ社）等のＯＳの他に、Ｗｅｂページを閲覧するためのソフトウエア（Ｗｅｂプラウザ）であるＩｎｔｅｒｎｅｔ  Ｅｘｐｌｏｒｅｒ（Ｍｉｃｒｏｓｏｆｔ社）、電子メール用のソフトウエアであるＯｕｔｌｏｏｋ  Ｅｘｐｒｅｓｓ（Ｍｉｃｒｏｓｏｆｔ社）、文書データを作成するための手段であるワープロ用ソフトウエア、画像データを蓄積するサーバから配信されたストリーミング映像のデータを受信して再生するためのソフトウエアであるＷｉｎｄｏｗｓ  Ｍｅｄｉａ  Ｐｌａｙｅｒ（Ｍｉｃｒｏｓｏｆｔ社）、あるいはＲｅａｌ  Ｐｌａｙｅｒ（ＲｅａｌＮｅｔｗｏｒｋｓ社）、Ｑｕｉｃｋ  Ｔｉｍｅ  Ｐｌａｙｅｒ（アップルコンピュータ）等が予めインストールされている。【００２０】  ２ａ、２ｂ、・・・は、文書作成装置である。文書作成装置２ａ、２ｂは、ユーザ端末装置１ａ等と同様にパーソナルコンピュータから構成され、例えば、Ｗｉｎｄｏｗｓ（Ｍｉｃｒｏｓｏｆｔ社）等のＯＳの他に、Ｗｅｂページを閲覧するためのソフトウエア（Ｗｅｂプラウザ）であるＩｎｔｅｒｎｅｔ  Ｅｘｐｌｏｒｅｒ（Ｍｉｃｒｏｓｏｆｔ社）、電子メール用のソフトウエアであるＯｕｔｌｏｏｋ  Ｅｘｐｒｅｓｓ（Ｍｉｃｒｏｓｏｆｔ社）、文書データを作成する手段であるのワープロ用ソフトウエア、デジタルビデオカメラ等で撮像した動画像データをストリーミング映像として配信できるフォーマットに変換（エンコード）するためのソフトウエア、この変換した動画像データを画像蓄積サーバにアップロードするためのソフトウエア、画像蓄積サーバから配信されたストリーミング映像のデータを受信して再生するためのソフトウエアであるＷｉｎｄｏｗｓ  Ｍｅｄｉａ  Ｐｌａｙｅｒ（Ｍｉｃｒｏｓｏｆｔ社）、あるいはＲｅａｌ  Ｐｌａｙｅｒ（ＲｅａｌＮｅｔｗｏｒｋｓ社）、Ｑｕｉｃｋ  Ｔｉｍｅ  Ｐｌａｙｅｒ（アップルコンピュータ）等が予めインストールされている。【００２１】  ３は、画像データをその外部記憶装置に記憶しているサーバ（画像蓄積サーバ）である。４は、ユーザ端末装置１ａ、・・・等からの配信要求の受信と、画像蓄積サーバ３に蓄積している画像データを、配信要求を行ったユーザ端末装置１ａ等に配信するための配信制御を行うためのサーバ（配信管理サーバ）である。なお、図１においては、画像蓄積サーバ３と配信管理サーバ４は、それぞれ別のサーバから構成したシステム構成を示しているが、画像蓄積サーバ３と配信管理サーバ４とを１台のサーバで構成してもよい。【００２２】  ５はインターネット・サービス・プロバイダ、６はインターネット通信網である。ユーザ端末装置１ａ、１ｂ、１ｃ、・・・、文書作成装置２ａ、２ｂ、・・・、画像蓄積サーバ３、配信管理サーバ４は、各地に設立されているインターネット・サービス・プロバイダ５を介してインターネット通信網６に接続されている。【００２３】  上記した本発明のシステム構成において、ユーザ端末装置１ａ、・・・等は、例えば、主に、文書作成装置２ａ等によりワープロ用ソフトウエアを用いて作成された文書データを読み込んで表示装置の画面に表示して閲覧するために使用される。この文書データは、文章（文字）データと、さらに、画像を表示するための画像表示領域を有している。この文書データをユーザ端末装置１ａの表示装置に表示したときの一例を図２に示す。【００２４】  図２に示す文書データ７の表示例は、領域７ａに文字列からなる文章データが表示され、画像表示領域７ｂ内に画像が表示されることを示している。この画像表示領域７ｂ内に表示する画像は、後記するように、画像蓄積サーバ３に登録しているストリーミング画像データ等を表示する領域である。【００２５】  文書作成装置２ａ、・・・等は、文書データを作成する手段であるワープロ用ソフトウエアを使用して文書データを作成しながら、図２に示すように、任意の箇所に画像表示領域７ｂを設定した文書データ７を作成するための装置であり、通常のパーソナルコンピュータから構成される。また、文書作成装置２ａ、・・・等は、画像表示領域７ｂに表示する画像データを配信管理サーバ４に配信要求するためのリンク情報を埋め込むための手段、画像表示領域７ｂに表示する画像データを画像蓄積サーバ３にアップロードする手段、作成した文書データ７を、電子メール用ソフトウエアを使用してユーザ端末装置１ａ、１ｂ、・・・、および他の文書作成装置２ｂ、・・・、等に、添付ファイルとして送信する手段（電子メール用ソフトウエア）を備えている。これらの手段のうち、配信管理サーバ４に配信要求するためのリンク情報を埋め込むための手段、画像表示領域７ｂに表示する画像データを画像蓄積サーバ３にアップロードする手段等を実行するプログラムは、文書作成装置２ａ等にインストールされているワープロ用ソフトウエアと連動して作動するプログラムであって、ＣＤ−ＲＯＭ、ＤＶＤ−ＲＯＭ、フロピーディスク等のコンピュータ読み取り可能な記録媒体８に記憶されて、本発明の文書データ処理システムを利用する利用者に提供される。【００２６】  そして、このコンピュータ読み取り可能な記録媒体８は、本発明の文書データ処理システムの管理と運営を行なう業者、例えば、配信管理サーバ４を管理運営する業者が作成して、ユーザ端末装置１ａ、・・・、文書作成装置２ａ、・・・、等を保有している各種の企業、団体、個人等に販売、貸与または提供する。また、コンピュータ読み取り可能な記録媒体８には、予めそれぞれ固有の識別番号（シリアル番号）を設定し、このシリアル番号をコンピュータ読み取り可能な記録媒体８に印刷しておく。【００２７】  配信管理サーバ４は、ユーザ端末装置１ａ、・・・、等が文書データ７を読み込んで画像表示領域７ｂに表示するストリーミング映像の配信要求を行なったときに、この配信要求の受信と配信要求された画像データを、画像蓄積サーバ３から配信要求を行なったユーザ端末装置１ａ、・・・等に配信するための制御を行なう。このように、配信管理サーバ４は、ユーザ端末装置１ａ・・・等から配信要求を受信して画像データの配信の制御を行なうために、その記憶装置に、図３に示すようなデータ構成からなる配信管理データを備えている。【００２８】  図３に示す配信管理データは、シリアル番号ｈ１、チャンネル番号ｈ２��画像蓄積サーバのアドレスｈ３、映像ファイル名ｈ４、等のデータから構成されるデータテーブルである。この配信管理データテーブルは、予め配信管理サーバ４の外部記憶装置に記憶されているが、配信管理サーバ４が稼動中は配信管理サーバ４のＲＡＭに読み込まれている。【００２９】  配信管理データテーブルに記憶されているシリアル番号ｈ１は、コンピュータ読み取り可能な記録媒体８に設定されているシリアル番号を示す。同じく、チャンネル番号ｈ２は、シリアル番号ｈ１ごとに１個、または複数個設定されている固有の識別番号である。これらのシリアル番号ｈ１とチャンネル番号ｈ２は、それぞれ所定の桁数からなる数字、あるいは英数字から構成されている。画像蓄積サーバのアドレスｈ３は、配信する画像データを蓄積する画像蓄積サーバ３のアドレスを示す。画像ファイル名ｈ４は、配信する画像データのファイル名を示す。従って、配信管理データテーブルは、個々の画像データに固有の識別番号であるチャンネル番号を設定し、このチャンネル番号ごとにこのチャンネル番号が設定された画像データを蓄積している画像蓄積サーバ３のアドレスを関連付けしたデータテーブルである。【００３０】  なお、図３に示す配信管理データテーブルのデータ構成例では、画像蓄積サーバのアドレスｈ３はスキーム名（ｈｔｔｐ：）とドメイン名を、画像ファイル名ｈ４はファイルのディレクトリ（パス名）を示すようなデータ構成例としている。これにより、一つの画像データを蓄積する画像蓄積サーバ３のＵＲＬは、画像蓄積サーバ３のアドレスｈ３とこのアドレスｈ３に対応する画像ファイル名ｈ４とにより特定されることになる。また、配信管理データテーブルには、画像データの配信期間（配信開始年月日時と配信終了年月日時）も登録して、ユーザ端末装置１ａ、・・・から配信要求を受信すると、配信管理サーバ４の配信管理プログラムは、この配信期間をチェックして配信可否を判定するようにすることもできる。【００３１】  続いて、本発明の文書データ処理システムを構築する手順について説明する。このシステム構築の手順は、下記の（手順１）〜（手順９）に記載した内容になる。【００３２】（手順１）
まず、例えば、本システムの管理者である配信管理サーバ４を管理運営する業者は、図３に示す配信管理データを作成して、配信管理サーバ４の外部記憶装置に配信管理データテーブルとして登録する。この初期登録時の配信管理データとしては、シリアル番号ｈ１、チャンネル番号ｈ２、画像蓄積サーバのアドレスｈ３に関するデータが登録される。【００３３】（手順２）
次に、配信管理サーバ４の管理運営業者は、前記したコンピュータ読み取り可能な記録媒体８に所定の処理を行なうためのソフトウエアを記憶させ、この記録媒体８を広く販売、貸与、または提供する。このソフトウエアとしては、例えば、次の処理を行なうプログラム（ａ）、（ｂ）、（ｃ）を記憶させる。なお、前記したようにこの記録媒体８の個々には、固有の識別番号である図３に示すシリアル番号ｈ１を記録媒体８の表面に印刷しておく。そして、記録媒体８は、図３に示すように、予めそのシリアル番号ごとに１個または複数のチャンネル番号が付与されている。【００３４】（プログラムａ）
コンピュータ読み取り可能な記録媒体８を文書作成装置２ａ等に読み込ませたときに、この記録媒体８に記憶しているプログラムを起動させるためのプログラム。【００３５】（プログラムｂ）
文書作成装置２ａ等にインストールされているワープロ用ソフトウエアを用いて作成した文書データ中に、画像表示領域７ｂを設定し、この画像表示領域７ｂに表示するストリーミング映像データを配信要求するためのリンク情報を埋め込むためのプログラム。このリンク情報としては、例えば、配信管理サーバのアドレスとチャンネル番号とで構成されるリンク情報が文書データ７の画像表示領域７ｂに埋め込まれる。【００３６】（プログラムｃ）
文書データ７の画像表示領域７ｂに表示するストリーミング映像データであって、文書作成装置２ａ等の外部記憶装置に記憶されているこのストリーミング映像データを画像蓄積サーバ３にアップロードするためのプログラム。例えば、ＦＴＰ（Ｆｉｌｅ  Ｔｒａｎｓｆｅｒ  Ｐｒｏｔｏｃｏｌ）用のプログラムである。【００３７】（手順３）
コンピュータ読み取り可能な記録媒体８を購入した電子化文書作成者は、この記録媒体８を文書作成装置２ａ、・・・等（以下、文書作成装置２ａと記載する）に読み込ませた後、この文書作成装置２ａにインストールされているワープロ用ソフトウエアを使用して文書データ７を作成する操作を行なう。【００３８】（手順４）
文書データ７を作成しているときに、この文書データ７の中にストリーミング映像を表示したい領域を設定するときには、ワープロ用ソフトウエアが備えている「挿入」機能を利用して、マウス操作により図２に示すような画像表示領域７ｂを設定する。なお、この画像表示領域７ｂの縦横の大きさは、ワープロ用ソフトウエアが備えている「挿入」機能により任意の大きさに設定することが可能であるが、例えば、予め２４０×１８０ピクセルの大きさが設定されるようなプログラムをコンピュータ読み取り可能な記録媒体８に記憶させておき、このプログラムとワープロ用ソフトウエアとの連携により、予め設定した２４０×１８０ピクセルの大きさの画像表示領域７ｂが設定されるようにするとよい。【００３９】（手順５）
上記（手順４）において、ワープロ用ソフトウエアが備えている「挿入」機能をマウスでクリックすると、コンピュータ読み取り可能な記録媒体８に予め設定されているシリアル番号を入力するための画面を表示装置に表示させる。このシリアル番号を入力する画面を表示するためのプログラムも、コンピュータ読み取り可能な記録媒体８に記憶させておき、このプログラムとワープロ用ソフトウエアとの連携により、このシリアル番号入力画面を表示させることが可能になる。【００４０】（手順６）
上記（手順５）に基づいて、シリアル番号の入力が完了すると、コンピュータ読み取り可能な記録媒体８に記憶されている配信管理サーバ４のＵＲＬをアクセスするためのプログラムが作動する。これにより、文書作成装置２ａは配信管理サーバ４のＵＲＬをアクセスして、この入力されたシリアル番号を配信管理サーバ４に送信する処理を行なう。なお、配信管理サーバ４をアクセスする手段は、文書作成装置２ａにインストールされているＷｅｂプラウザと連携させて作動するようにしてもよい。【００４１】（手順７）
配信管理サーバ４は、シリアル番号を受信すると、この受信したシリアル番号が配信管理データテーブルに登録されているか否かを判定する処理を行なう。この判定の結果、受信したシリアル番号が配信管理データテーブルに登録されている場合には、この受信したシリアル番号ｈ１に対応して配信管理データテーブルに登録されているチャンネル番号ｈ２と、このチャンネル番号ｈ２に対応して設定されている画像蓄積サーバのアドレスｈ３とをこの文書作成装置２ａに送信する。なお、受信したシリアル番号が配信管理データテーブルに登録されていない場合は、未登録である旨を示すデータを文書作成装置２ａに送信する。【００４２】（手順８）
文書作成装置２ａは、配信管理サーバ４からチャンネル番号ｈ２を受信すると、文書データ７の中に設定した画像表示領域７ｂに、この画像表示領域７ｂに表示する画像データを配信要求するためのリンク情報を埋め込む処理を行なう。このリンク情報は、配信管理サーバ４のアドレスとチャンネル番号とから構成される。例えばこのリンク情報は、下記のようになる。下記の「０１２３４５６７８９０」がチャンネル番号を示す。
ｈｔｔｐ：／／ｗｗｗ．ｓｔｒｅａｍｉｎｇ−ｃｃｕ／ｃｈ＝１２３４５６７８９０【００４３】  この処理が完了すると、文書データ７の画像表示領域７ｂ内には、図４に示すように、例えば、パーソナルコンピュータの図形を示すオブジェクト画像と、画像データを配信要求するための受信要求ボタン７ｃの画像を表示するようにする。上記した処理を行うプログラムは、コンピュータ読み取り可能な記録媒体８に記憶されているプログラム（ｂ）と、ワープロ用ソフトウエアとの連携により実行することができるようにする。【００４４】（手順９）
文書作成装置２ａを操作する電子化文書作成者は、画像表示領域７ｂに表示する画像データであって、予め、文書作成装置２ａの外部記憶装置に記憶しているストリーミング映像データを画像蓄積サーバ３にアップロードする操作を行なう。このストリーミング映像データを画像蓄積サーバ３にアップロードするためのプログラムは、コンピュータ読み取り可能な記録媒体８に記憶されている上記したプログラム（ｃ）と、ワープロ用ソフトウエアとの連携により実行できるようにする。【００４５】  また、この（手順９）においては、上記したプログラム（ｃ）により、このストリーミング映像データに設定された画像ファイル名と、このストリーミング映像データを表示する画像表示領域７ｂに埋め込まれたチャンネル番号を配信管理サーバ４に送信する処理を行なう。配信管理サーバ４はこれらのデータを受信すると、配信管理データテーブルの画像ファイル名を記憶する画像ファイル名ｈ４欄に、受信したチャンネル番号に対応する画像ファイル名を記憶する処理を行なう。【００４６】  このようにして、文書データ７の画像表示領域７ｂには、上記したリンク情報、すなわち、チャンネル番号ｈ２を有する配信管理サーバ４のＵＲＬが埋め込まれるので、この画像表示領域７ｂに表示する画像データをチャンネル番号ｈ２と関連付けて、画像蓄積サーバ３にアップロードすることが可能になる。【００４７】  上記（手順９）の処理を行なうとき、コンピュータ読み取り可能な記録媒体８に記憶されているプログラム（ｃ）は、さらに、文書作成装置２ａの表示装置に、図５に示すようなアップロード支援画面を表示する処理を行なうようにするとよい。このアップロード支援画面には、チャンネル番号ごとに、アップロードする画像データのタイトル名、画像ファイル名、配信期間、等を入力する入力欄が設けられている。なお、画像ファイル名は参照ボタンをマウスでクリックして、予めアップロードするストリーミング映像データに設定されているファイル名を自動的に入力することができるようにするとよい。【００４８】  電子化文書作成者は、このアップロード支援画面への入力操作が終了すると、表示画面の「登録ボタン」をマウスでクリックすると、上記したプログラム（ｃ）は、チャンネル番号とこのチャンネル番号に対応する画像ファイル名等が配信管理サーバ４に送信する処理を行なう。配信管理サーバ４は、このチャンネル番号と画像ファイル名等を受信すると、上記したように、配信管理データテーブルを参照して、受信したチャンネル番号に対応して配信管理データテーブルに記憶する画像ファイル名の欄等に、この受信した画像ファイル名等を記憶する処理を行なう。さらに、プログラム（ｃ）は、文書作成装置２ａの外部記憶装置に記憶しているストリーミング映像データを画像蓄積サーバ３にアップロードする処理を行なう。なお、アップロードするストリーミング映像データは、デジタルビデオカメラ等で撮像した画像データをストリーミング映像データとして配信できるフォーマットに変換したデータである。
なお、文書データ７に複数の画像表示領域７ｂを設定する場合には、上記したプログラムｂの制御により、配信管理サーバから送信された複数のチャンネル番号を、一つずつ順番に画像表示領域７ｂに割り当てることが可能になる。【００４９】  続いて、文書作成装置２ａ、・・・で作成した文書データ７を、インターネット通信網６を利用してユーザ端末装置１ａ、１ｂ、・・・に送信し、ユーザ端末装置１ａ、１ｂ、・・・で受信した文書データ７を閲覧する手順とその処理内容について説明する。この手順とその処理内容は、下記の（手順１０）〜（手順１５）に記載した内容になる。【００５０】（手順１０）
文書作成装置２ａ、・・・で作成した文書データ７は、この文書作成装置２ａ等、あるいはインターネット通信網６に接続され、電子メール用のソフトウエアがインストールされている他のパーソナルコンピュータ等を利用して、電子メールの添付ファイルとしてユーザ端末装置１ａ、１ｂ、・・・等に送信される。例えば、文書作成装置２ａ、・・・が企業等に所有されている場合には、この文書作成装置２ａ等で作成した文書データ７を、ストリーミング映像を閲覧することができる企業のＰＲ用資料、新製品の紹介の資料、決算報告書等として、関係する企業、個人等のユーザ端末装置１ａ、１ｂ、・・・等に送信することができる。さらに、個人が作成した文書データ７を、個人が所有する文書作成装置２ａ等から、他の個人が所有するユーザ端末装置１ａ等に、電子メールの添付ファイルとして送付することにも利用可能である。【００５１】（手順１１）
ユーザ端末装置１ａ等の所有者は、予めこのユーザ端末装置１ａ等にインストールされている電子メール用のソフトウエアを立ち上げて、上記した文書データ７を添付した電子メールが配信されているかをチェックする。そして、この文書データ７を添付した電子メールが配信されているときには、マウスを操作して、添付されている文書データ７を開く。すると、ユーザ端末装置１ａ等の表示装置には、図４に示すような文書データ７が表示される。なお、この操作を行なうときには、ユーザ端末装置１ａ等に文書データ７を読み取ることができるワープロ用ソフトウエアが予めインストールされていることが必要である。【００５２】（手順１２）
ユーザ端末装置１ａ等の所有者は、表示装置に表示された文書データ７を閲覧しながら、画像表示領域７ｂにストリーミング映像を表示して視聴したいと思ったときには、図４に示す表示装置に表示されている文書データ７の受信ボタン７ｃをマウスでクリックする。この操作により、ユーザ端末装置１ａ等にインストールされているワープロ用ソフトウエアが備えているＷｅｂプラウザとリンクさせる機能は、前記した画像表示領域７ｂに埋め込まれている配信管理サーバ４をアクセスするためのリンク情報、例えば上記（手順８）に示すリンク情報を、ユーザ端末装置１ａ等にインストールされているＷｅｂプラウザに引き渡す処理を行なう。これにより、ユーザ端末装置１ａ等は、インターネット通信網６を介して配信管理サーバ４に、画像表示領域７ｂに表示するストリーミング映像の配信要求を行なうことになる。【００５３】（手順１３）
上記（手順１２）により配信管理サーバ４は、ユーザ端末装置１ａから配信要求を受信すると、配信管理サーバ４の配信管理プログラムは、次の処理を行なう。
（１）ユーザ端末装置１ａから送信されたチャンネル番号に対応して、配信管理データテーブルに登録されている画像蓄積サーバのアドレスｈ３と画像ファイル名ｈ４に関するデータを取り出して、これらのデータから画像蓄積サーバ３をアクセスするためのＵＲＬデータを作成して記憶装置に記憶する処理を行なう。
（２）このＵＲＬデータに基づいて画像蓄積サーバ３をアクセスして、画像蓄積サーバ３に蓄積されている画像ファイル名ｈ４を付与されているストリーミング映像データを、配信要求を行なったユーザ端末装置１ａ等に配信するための制御を行なう。【００５４】（手順１４）
画像蓄積サーバ３は、上記（手順１３）により配信管理サーバ４から配信指示のデータを受信すると、配信指示された画像ファイル名のストリーミング映像データを、配信要求を行なったユーザ端末装置１ａ等に配信する。【００５５】（手順１５）
ユーザ端末装置１ａ等は、画像蓄積サーバ３からストリーミング映像のデータを受信すると、ユーザ端末装置１ａ等にインストールされているストリーミング映像のデータを受信して再生するためのソフトウエアが自動的に作動して、画像表示領域７ｂにストリーミング映像を表示する処理を行なう。これにより、ユーザ端末装置１ａ等の所有者等は、画像表示領域７ｂ内に表示されたストリーミング映像を視聴することが可能になる。【００５６】  上記した本発明の実施形態は、文書データ７を電子メールの添付ファイルとしてインターネット通信網６に接続されたユーザ端末装置１ａ等に転送し、この文書データ７を受信したユーザ端末装置１ａ等で文書データ７の中に予め設定されている画像表示領域７ｂ内にストリーミング映像を視聴する例について説明したが、本発明は、次のようなシステムとすることも含む。【００５７】  すなわち、文書作成装置２ａ、・・・で作成した文書データ７を、ＣＤ−ＲＯＭ、ＤＶＤ−ＲＯＭ等のコンピュータ読み取り可能な記録媒体に記録する。このとき、文書データ７は複数のページ数から構成され、さらに、文書データ７の中に複数の画像表示領域７ｂを設定し、これら複数の画像表示領域７ｂにはそれぞれ異なったストリーミング映像を視聴するためのリンク情報を埋め込むようにする。そして、このような文書データ７を記録したＣＤ−ＲＯＭ、ＤＶＤ−ＲＯＭ等のコンピュータ読み取り可能な記録媒体（以下、ＣＤ−ＲＯＭ化記録媒体という）を広く販売、あるいは配布する。【００５８】  上記したＣＤ−ＲＯＭ化記録媒体を入手したユーザは、ユーザ端末装置１ａ等を利用してこのＣＤ−ＲＯＭ化記録媒体に記憶されている文書データ７を読み込んで画面に表示して、その画像表示領域７ｂにストリーミング映像の配信要求を行なって視聴する。このようなＣＤ−ＲＯＭ化記録媒体を応用した文書データ処理システムとしては、例えば、ストリーミング映像等の動画像を視聴することが可能な百科事典、同じく動画像を視聴することが可能な電子カタログとして実用化することができる。このようなＣＤ−ＲＯＭ化記録媒体を応用した文書データ処理システムにおいては、例えば、ストリーミング映像データを更新したいときには、文書作成装置２ａ等から新しいストリーミング映像データを画像蓄積サーバ３に再度アップロードすることが可能になるので、本システムの利用者は、常に最新のストリーミング映像等を視聴することができるようになる。【００５９】  なお、上記したＣＤ−ＲＯＭ化記録媒体を応用した文書データ処理システムを構築するためには、予め前記したコンピュータ読み取り可能な記録媒体８ごとに設定する固有のシリアル番号に対して、複数のヤンネル番号を付与した記録媒体８を販売、貸与または提供するようにする。【００６０】  上記した本発明の実施形態の説明においては、画像データとしてストリーミング映像等の動画像を取り扱う例について説明したが、本発明は、もちろん静止画像を配信することもできる。
【図面の簡単な説明】
【００６１】
【図１】  本発明の文書データ処理システムについて、システム構成の一例を説明するための図である。
【図２】  本発明の文書データ処理システムにおいて、取り扱う文書データの構成を説明するための図である。
【図３】  図１に示す配信管理サーバが備えている配信管理データのデータ構成例を説明するための図である。
【図４】  本発明の文書データ処理システムにおいて、取り扱う文書データをユーザ端末装置等の表示装置に表示したときの表示例を説明するための図である。
【図５】  図１に示す文書作成装置から、画像蓄積サーバにストリーミング映像をアップロードする操作を支援する画面例を説明するための図である。
【符号の説明】
【００６２】  １ａ、１ｂ、１ｃ、１ｄ：ユーザ端末装置
２ａ、２ｂ：文書作成装置
３  ：画像蓄積サーバ
４  ：配信管理サーバ
６  ：インターネット通信網
７  ：文書データ
７ａ：文字列からなる文章データの領域
７ｂ：画像表示領域
【図１】
2006302231.tif 000003
【図２】
2006302231.tif 000004
【図３】
2006302231.tif 000005
【図４】
2006302231.tif 000006
【図５】
2006302231.tif 000007